(57)【要約】【課題】開示される実施形態は、側副換気を評価するための装置、システム、及び方法を含む。【解決手段】例示的な実施形態は、気管支通路に挿入可能であり、気管支通路を選択的に封止して肺のローブを閉塞する閉塞デバイスを含む。フロールーメンは、閉塞デバイスを通って遠位端まで封止可能に延在し、かつ正圧流の近位端受容体を有する。逆止弁は、フロールーメンと結合可能であり、正圧流がフロールーメンの遠位端に通過することを可能にし、かつフロールーメンからの圧力の逆流を防止する。流量計は、フロールーメンと結合可能であり、フロールーメンを通る正圧流を測定する。閉塞デバイスは、隔離されたローブへの通路内に挿入可能である。閉塞されたローブ内への正圧流の流量計の測定値は、閉塞されたローブからの側副換気を評価するために監視可能である。【選択図】図１Ａ
2020189090.tif 000002
【特許請求の範囲】
【請求項１】
装置であって、
気管支通路に挿入可能であり、前記気管支通路を選択的に封止して試験対象の肺のローブを閉塞する閉塞デバイスと、
フロールーメンであって、前記閉塞デバイスを通って遠位端まで封止可能に延在し、かつ前記フロールーメン内への正圧流の近位端受容体を有する、フロールーメンと、
前記フロールーメンと空気圧で結合可能であり、前記正圧流が前記フロールーメンの前記遠位端を通過することを可能にし、かつ前記フロールーメンの前記遠位端からの圧力の逆流を防止する逆止弁と、
前記フロールーメンと空気圧で結合可能であり、前記フロールーメンを通過する前記正圧流を測定する流量計であって、前記閉塞デバイスが、前記閉塞されたローブへの前記気管支通路内に挿入可能であり、前記閉塞されたローブ内への前記フロールーメンを通る前記正圧流の前記流量計の測定値が、前記閉塞されたローブからの側副換気の存在を評価するために監視可能である、流量計と、を備える、装置。
【請求項２】
前記閉塞デバイスが、前記気管支通路を選択的に封止するための選択的に膨張可能な閉塞デバイスを含む、請求項１に記載の装置。
【請求項３】
前記選択的に膨張可能な閉塞デバイスと空気圧で結合可能であり、前記閉塞デバイスを選択的に膨張及び伸長させて前記気管支通路を封止可能に閉塞するためのガスの流れを受容する膨張ルーメンを更に備える、請求項２に記載の装置。
【請求項４】
前記選択的に膨張可能な閉塞デバイスが、前記フロールーメンが拡張可能であるバルーンカテーテルを含む、請求項２に記載の装置。
【請求項５】
前記正圧流が、１０ｃｍ  Ｈ２Ｏ〜１５ｃｍ  Ｈ２Ｏの範囲の圧力流量を含む、請求項１に記載の装置。
【請求項６】
前記正圧流が、実質的に１５ｃｍ  Ｈ２Ｏの圧力流を含む、請求項５に記載の装置。
【請求項７】
前記正圧流が、最大５００ｍＬ／分の体積流量を含む、請求項１に記載の装置。
【請求項８】
前記流量計が、電子質量流量計を含む、請求項１に記載の装置。
【請求項９】
前記逆止弁が、１平方インチ当たり１／１０ポンド未満のクラッキング圧力を有する、請求項１に記載の装置。
【請求項１０】
前記逆止弁が、１平方インチ当たり５０／１００ポンド未満のクラッキング圧力を有する、請求項９に記載の装置。
【請求項１１】
システムであって、
気管支通路に挿入可能であり、前記気管支通路を選択的に封止して試験対象の肺のローブを閉塞する閉塞デバイスと、
フロールーメンであって、前記閉塞デバイスを通って遠位端まで封止可能に延在し、かつ前記フロールーメン内への正圧流の近位端受容体を有する、フロールーメンと、
前記フロールーメンの前記近位端と空気圧で結合可能であり、前記正圧流を提供する圧力源と、
前記フロールーメンと空気圧で結合可能であり、前記正圧流が前記フロールーメンの前記遠位端を通過することを可能にし、かつ前記フロールーメンの前記遠位端からの圧力の逆流を防止する逆止弁と、
前記フロールーメンと空気圧で結合可能であり、前記フロールーメンを通過する前記正圧流を測定する流量計と、
前記流量計と通信可能に結合可能であり、前記閉塞されたローブへの前記正圧流を経時的に監視して、前記閉塞されたローブからの側副換気の存在を評価する測定装置と、を備える、システム。
【請求項１２】
前記閉塞デバイスが、前記気管支通路を選択的に封止するための選択的に膨張可能な閉塞デバイスと、前記選択的に膨張可能な閉塞デバイスと空気圧で結合可能であり、前記閉塞デバイスを選択的に膨張及び伸長させて前記気管支通路を封止可能に閉塞するためのガスの流れを受容する膨張ルーメンと、を含む、請求項１１に記載のシステム。
【請求項１３】
前記閉塞デバイスが、前記フロールーメンが拡張可能であるバルーンカテーテルを含む、請求項１２に記載のシステム。
【請求項１４】
前記圧力源が、連続正気道圧力ポンプを含む、請求項１１に記載のシステム。
【請求項１５】
前記圧力源が、１０ｃｍ  Ｈ２Ｏ〜１５ｃｍ  Ｈ２Ｏの範囲の前記正圧流及び最大５００ｍＬ／分の体積流量を提供するように構成されている、請求項１１に記載のシステム。
【請求項１６】
前記流量計が、電子質量流量計を含む、請求項１１に記載のシステム。
【請求項１７】
前記逆止弁が、１平方インチ当たり１／１０ポンド未満のクラッキング圧力を有する、請求項１１に記載のシステム。
【請求項１８】
前記逆止弁が、１平方インチ当たり５０／１００ポンド未満のクラッキング圧力を有する、請求項１７に記載のシステム。
【発明の詳細な説明】
【技術分野】
【０００１】
（優先権の主張）
本出願は、２０１９年５月１７日に出願された米国仮特許出願第６２／８４９，６５２号、発明の名称「ＣＯＬＬＡＴＥＲＡＬ  ＶＥＮＴＩＬＡＴＩＯＮ  ＡＳＳＥＳＳＭＥＮＴ  ＳＹＳＴＥＭ」、２０１９年９月２６日に出願された同第６２／９０６，５４２号、発明の名称「ＣＯＬＬＡＴＥＲＡＬ  ＶＥＮＴＩＬＡＴＩＯＮ  ＡＳＳＥＳＳＭＥＮＴ  ＳＹＳＴＥＭ」、及び２０１９年９月２６日に出願された同第６２／９０６，５７１号、発明の名称「ＣＯＬＬＡＴＥＲＡＬ  ＶＥＮＴＩＬＡＴＩＯＮ  ＡＳＳＥＳＳＭＥＮＴ  ＤＩＳＰＬＡＹ  ＳＹＳＴＥＭ」の優先権及び利益を主張するものである。
【０００２】
（発明の分野）
本開示は、側副換気用の患者の肺の１つ以上のローブを試験するための装置、システム、及び方法に関する。
【背景技術】
【０００３】
このセクションにおける記述は、単に、本開示に関する背景情報を提供し、先行技術を構成しない場合もある。
【０００４】
気腫などの多くの呼吸器疾患により、患者が自身の肺の１つ以上のローブから空気を効果的に排出することができない場合がある。結果として生じる肺の過膨張は、患者が十分な酸素を引き込むことを妨げる可能性があり、これにより、患者の健康に大きく影響する可能性がある。機能が不十分なローブへの気管支通路内の一方向気管支内弁の移植などの治療は、空気がその区画に進入するのを阻止してそのローブの過膨張を防止するのを助け得る。
【０００５】
このような治療は、患者が側副換気に苦しんでいる場合、効果的となり得ず、空気が肺のローブの間を流れ、各ローブ内への適切な通路を流れない。気管支内弁の無駄な移植を回避するため、又は有効ではない他の治療の使用を回避するために、患者の肺における側副換気の発生を検出できることが重要である。
【発明の概要】
【課題を解決するための手段】
【０００６】
開示された実施形態は、患者の肺において、側副換気が発生するかどうかを判定するための装置、システム、及び方法を含む。
【０００７】
例示的な実施形態では、装置は、気管支通路に挿入可能であり、気管支通路を選択的に封止して試験対象の肺のローブを閉塞する閉塞デバイスを含む。フロールーメンは、閉塞デバイスを通って遠位端まで封止可能に延在し、かつフロールーメン内への正圧流の近位端受容体を有する。逆止弁は、フロールーメンと空気圧で結合可能であり、正圧流がフロールーメンの遠位端を通過することを可能にし、かつフロールーメンの遠位端からの圧力の逆流を防止する。流量計は、フロールーメンと空気圧で結合可能であり、フロールーメンを通過する正圧流を測定する。閉塞デバイスは、閉塞されたローブへの気管支通路内に挿入可能である。閉塞されたローブ内へのフロールーメンを通る正圧流の流量計の測定値は、閉塞されたローブからの側副換気の存在を評価するために監視可能である。
【０００８】
別の例示的な実施形態において、システムは、気管支通路に挿入可能であり、気管支通路を選択的に封止して試験対象の肺のローブを閉塞する閉塞デバイスを含む。フロールーメンは、閉塞デバイスを通って遠位端まで封止可能に延在し、かつフロールーメン内への正圧流の近位端受容体を有する。圧力源は、フロールーメンの近位端と空気圧で結合可能であり、正圧流を提供する。逆止弁は、フロールーメンと空気圧で結合可能であり、正圧流がフロールーメンの遠位端を通過することを可能にし、かつフロールーメンの遠位端からの圧力の逆流を防止する。流量計は、フロールーメンと空気圧で結合可能であり、フロールーメンを通過する正圧流を測定する。測定装置は、流量計と通信可能に結合可能であり、フロールーメンから閉塞されたローブへの正圧流を経時的に監視して、閉塞されたローブからの側副換気の存在を評価する。
【０００９】
更なる例示的な実施形態では、方法は、気管支通路を閉塞して試験対象の肺のローブを閉塞することを含む。閉塞された気管支通路の下流のローブ内に、正圧流が閉塞されたローブを膨らませるのを防ぐように構成された連続正気道圧力源から空気の正圧流が導入される。閉塞されたローブ内への空気の正圧流を監視して、閉塞されたローブからの側副換気の欠如及び閉塞されたローブからの側副換気の存在から選択される少なくとも１つの特性を検出する。
【００１０】
例示的な実施形態では、測定装置は、肺の選択的に閉塞されたローブ内に正圧流を監視するように位置付け可能な電子流量計と通信可能に結合可能な流量計入力を含む。処理論理回路は、流量計入力と通信可能に結合されて、正圧流の測定値を処理し、かつ閉塞されたローブ内への正圧流のデジタル表現を経時的に生成する。ディスプレイデバイスは、デジタル表現を受信して、かつ経時的に閉塞されたローブ内に正圧流を視覚的に提示するように構成され、閉塞されたローブ内への正圧流の経時的な連続的減少は、ローブからの側副換気の欠如を示し、閉塞されたローブ内への正圧流の経時的な安定化は、ローブからの側副換気の存在を示す。
【００１１】
別の例示的な実施形態において、システムは、気管支通路に挿入可能であり、気管支通路を選択的に封止して試験対象の肺のローブを閉塞する閉塞デバイスを含む。フロールーメンは、閉塞デバイスを通って遠位端まで封止可能に延在し、かつフロールーメン内への正圧流の近位端受容体を有する。圧力源は、フロールーメンの近位端と空気圧で結合可能であり、正圧流を提供する。逆止弁は、フロールーメンと空気圧で結合可能であり、正圧流がフロールーメンの遠位端を通過することを可能にし、かつフロールーメンの遠位端からの圧力の逆流を防止する。流量計は、フロールーメンと空気圧で結合可能であり、フロールーメンを通過して閉塞されたローブ内に入る正圧流を測定する。測定装置は、流量計と通信可能に結合可能であり、閉塞されたローブへの正圧流を経時的に監視して、ローブからの側副換気の存在を評価する。測定装置は、流量計入力と通信可能に結合された処理論理回路を含み、正圧流の測定値を処理し、かつフロールーメンを通過して閉塞したローブ内に入る正圧流のデジタル表現を経時的に生成する。ディスプレイデバイスは、デジタル表現を受信して、かつフロールーメンを通過して閉塞されたローブ内に入る正圧流のデジタル表現を視覚的に提示するように構成されている。フロールーメンを通過して閉塞されたローブ内に入る正圧流の経時的な連続的減少は、閉塞されたローブからの側副換気の欠如を示し、フロールーメンを通過して閉塞されたローブ内に入る正圧流の経時的な安定化は、ローブからの側副換気の存在を示す。
【００１２】
更に別の例示的な実施形態では、方法は、肺の選択的に閉塞されたローブ内に入る正圧流を監視するように位置付けられた電子流量計から測定値を受信することを含む。経時的な正圧流の測定値を処理して、閉塞されたローブ内への正圧流のデジタル表現を経時的に生成する。閉塞されたローブ内への経時的な正圧流の測定値の可視表現が生成され、そこから、ユーザは、閉塞されたローブからの側副換気の存在を示す正圧流の変化を識別することができる。
【００１３】
更なる特徴、利点、及び適用分野は、本明細書に提供される説明から明らかになるであろう。説明及び具体的な例は、単に例示目的のために意図され、本開示の範囲を限定することは意図されないことを理解されたい。
【００１４】
本明細書に説明される図面は、単に例示目的のためであり、決して本開示の範囲を制限することは意図されない。図面における構成要素は、必ずしも一定の縮尺ではなく、開示された実施形態の原理を例示することに重点を置かれる。図面において以下を含む。
【図面の簡単な説明】
【００１５】
【図１Ａ】側副換気を評価するための例示的なシステムの概略図である。
【図１Ｂ】気管支通路内に位置付けられた閉塞デバイスを示す、図１Ａの領域Ｂの拡大図である。
【図２Ａ】図１Ａ及び１Ｂのシステムの閉塞デバイスの部分断面図である。
【図２Ｂ】図１Ａ及び１Ｂのシステムの閉塞デバイスの部分断面図である。
【図３】側副換気を評価するためのシステム内のインターフェースからのディスプレイ画面である。
【図４】側副換気を評価するためのシステム内のインターフェースからのディスプレイ画面である。
【図５】側副換気を評価するためのシステム内のインターフェースからのディスプレイ画面である。
【図６】側副換気を評価するためのシステム内のインターフェースからのディスプレイ画面である。
【図７】側副換気を評価するためのシステム内のインターフェースからのディスプレイ画面である。
【図８】側副換気を評価するためのシステム内のインターフェースからのディスプレイ画面である。
【図９】側副換気を評価するためのシステム内のインターフェースからのディスプレイ画面である。
【図１０】側副換気を評価するためのシステム内のインターフェースからのディスプレイ画面である。
【図１１】側副換気を評価するためのシステム内のインターフェースからのディスプレイ画面である。
【図１２】肺の閉塞されたローブ内への正圧流を監視するための例示的な装置のブロック図である。
【図１３】図１２の装置で使用するように構成可能な例示的なコンピューティングシステムのブロック図である。
【図１４】肺の閉塞されたローブからの潜在的な換気を評価するように位置付けられた流量計からの測定値を評価する例示的な方法のフローチャートである。
【図１５】肺の閉塞されたローブ内への正圧流の測定値の可視表現を生成する例示的な方法のフロー図である。
【発明を実施するための形態】
【００１６】
以下の説明は、本質的に単に例示的なものであり、本開示、適用、又は使用を限定することは意図されない。３桁の参照番号のうちの最初の桁及び４桁の参照番号のうちの最初の２桁は、その要素が最初に現れる１桁の図番号のうちの最初の桁及び図番号のうちの最初の２桁にそれぞれ対応することが留意されるだろう。
【００１７】
以下の説明は、限定することなく単に例示として、肺のローブ間の側副換気を評価するためのシステム、装置、及び方法の様々な実施形態を説明する。
【００１８】
非限定的な概要として与えられる図１Ａ及び図１Ｂを参照すると、様々な実施形態では、例示的なシステム１００は、肺１８０のローブ１８２を試験することによって、側副換気を評価することができる。システム１００は、試験対象の肺１８０のローブ１８２に気管支通路１８４に挿入可能な閉塞デバイス１１０を含む。フロールーメン１６０は、閉塞デバイス１１０を通って遠位端１６４まで封止可能に延在して、正圧流をローブ１８２に伝達する。圧力源１２０は、フロールーメン１６０の近位端１６６に結合可能であり、正圧流をローブ１８２に提供する。逆止弁１４４は、圧力源１２０とフロールーメン１６０との間に位置付け可能であり、正圧流がローブ１８２に流れることを可能にし、かつローブ１８２からフロールーメン１６０を通る圧力の逆流を防止する。流量計１４０は、フロールーメン１６０に結合可能であり、ローブ１８２への正圧流を測定する。測定装置１９０は、流量計１４０と結合可能であり、ローブ１８２への正圧流の変化を経時的に監視して、ローブ１８２からの側副換気の存在を評価する。
【００１９】
ここで、概要が与えられており、詳細は、例示としてのみ与えられた例として説明され、限定するものではない。
【００２０】
更に図１Ａ及び図１Ｂを参照すると、システム１００は、フロールーメン１６０が試験対象のローブ１８２内に延在する閉塞デバイス１１０を含む。ローブ１８２を試験するために、ローブ１８２への通路１８４が閉塞デバイス１１０によって遮断され、それによって、ローブ１８２が通路１８４を介して空気を受容することを防止する。様々な実施形態において、閉塞デバイス１１０は、フロールーメン１６０と共延在する膨張ルーメン（図１に図示せず）を介して選択的に膨張又は収縮される膨張可能なデバイスである。閉塞デバイスの構成は、図２Ａ及び図２Ｂに関して更に詳細に説明される。フロールーメン１６０は、閉塞デバイス１１０から、ローブ１８２内に延在する遠位端１６４まで、及びそれを通って延在する。
【００２１】
システム１００は、（閉塞デバイス１１０を選択的に膨張させるための）圧力源１２０、流量計１４０、逆止弁１４４、及び膨張デバイス１５０を更に含む。様々な実施形態において、（閉塞デバイス１１０のための膨張ルーメンを組み込み得る）フロールーメン１６０は、（フロールーメン１６０を接続するためのルアーロック又は類似のデバイスを含み得る）結合部１５２において、逆止弁１４４及び膨張デバイス１５０の下流に結合される。システム１１０の動作及び側副換気の評価は、測定装置１９０によって実行され、その動作は、図３〜図１１を参照して以下で更に説明される。
【００２２】
様々な実施形態において、システム１００は、ローブ１８２への気管支通路１８４を閉塞デバイス１１０で遮断することによって、試験対象の肺１８０のローブ１８２を閉塞する。図２Ａ及び図２Ｂを参照すると、気管支通路１８４は、閉塞デバイス１１０を気管支通路１８４内の気管支通路１８４の壁２０２の間に挿入することによって遮断され得る。図２Ａに示されるように、閉塞デバイス１１０は収縮状態にある。フロールーメン１６０は、閉塞デバイス１１０を通って封止可能に延在し、フロールーメン１６０の遠位端１６４は、閉塞デバイス１１０を越えて気管支通路１８４内に延在する。フロールーメン１６０の遠位端１６４及び閉塞デバイス１１０は、バルーンカテーテルであってもよい。フロールーメン１６０は、膨張ルーメン２６２と共延在し、膨張ルーメン２６２と一体的に形成されてもよい。膨張ルーメン２６２は、膨張ルーメン２６２を通過した膨張ガスが閉塞デバイスを膨張させ得るように、閉塞デバイス１１０の内部に延在する遠位端２６４を有する。
【００２３】
再び図１Ａを簡単に参照すると、膨張デバイス１５０を作動させることにより、膨張ルーメン１６２を通して閉塞デバイス１１０内へ膨張ガスを駆動して、閉塞デバイスを膨張させることができる。したがって、膨張デバイス１５０がシリンジであるとき、ユーザは、シリンジ上のプランジャを押下して、膨張ルーメン１６２を通して膨張ガスを駆動して閉塞デバイス１１０を膨張させることができる。ここで図２Ｂを参照すると、閉塞デバイス１１０は膨張状態にあり、それによって、気管支通路１８４を遮断し、ローブ１８２を閉塞する。閉塞デバイス１１０は、気管支通路１８４の対向する壁２０２を圧迫し、それによって、気管支通路１８４内への空気の流れ（フロールーメン１６０を介して導入されたガスの流れを除く）を遮断する。
【００２４】
再び図１Ａを参照すると、閉塞デバイス１１０が定位置にあり、ローブ１８４がそれにより閉塞されると、システム１００の他の構成要素は、ローブ１８４からの潜在的な側副換気を評価するために使用される。圧力源１２０は、フロールーメン１６０を介して正圧流を開始するように作動され、それによって、閉塞された気管支通路１８４の下流の閉塞されたローブ１８４内に正圧流を導入する。様々な実施形態において、圧力源１２０は、睡眠時無呼吸患者によって一般的に使用されるような連続正気道圧力（ＣＰＡＰ）デバイスなどの空気ポンプであってもよい。圧力源１２０は、潜在的に衰弱又は損傷した肺にも耐えることができ、負傷しない圧力を生成するように構成されている。様々な実施形態において、正圧は、１５センチメートル水柱（ｃｍ  Ｈ２Ｏ）、又は１０〜１５ｃｍ  Ｈ２Ｏの範囲に設定されてもよく、体積流量は、毎分５００ミリリットル（ｍＬ）であってもよい。この圧力は、典型的には、患者の入院ケアに使用される換気器及び呼吸マスクによって生成されるものよりも実質的に低くてもよい。圧力源１２０は、ポンプ（図１に図示せず）内のインペラ又は他の機構を駆動するポンプモータを含んでもよい。ポンプは、リザーバ（図１に図示せず）内で定常圧力を維持する。圧力計は、リザーバ内の圧力を監視し、フィードバック経路を介して、ポンプモータの動作を制御して、リザーバ（図１に図示せず）内の一定圧力を維持する。
【００２５】
圧力源１２０の出力は、流量計１４０を通過する。様々な実施形態では、流量計１４０は、電子質量流量計を含む。電子質量流量計を使用することにより、測定装置１９０による圧力流の電子監視が可能となる。また、機械的流量計ではなく電子質量流量計を使用することにより、流量のより正確な読み取りを提供し、閉塞されたローブ１８４からの側副換気の存在を示し得る閉塞されたローブ１８２内へのフロールーメン１６０を通るガスの流れの僅かな変化さえも識別することができる。
【００２６】
流量計の下流で、逆止弁１４４は、フロールーメン１６０から戻る圧力流を遮断する。しかしながら、様々な実施形態では、圧力源１２０によって生成された流れがローブ１８４に伝達されることを可能にするために、逆止弁１４４は、低い開口圧力又はクラッキング圧力を有するべきである。具体的には、開口圧力又はクラッキング圧力は、１平方インチ当たり１／１０ポンド未満、又は１平方インチ当たり１／１００ポンドのオーダーであるべきである。例えば、Ｑｏｓｉｎａ（商標）（「Ｈｉｇｈ  Ｆｌｏｗ  Ｃｈｅｃｋ  Ｖａｌｖｅ」Ｍｏｄｅｌ  ９１００８は、システム１００での使用に適した、１平方インチ当たり０．０４０ポンドのクラッキング圧力を有する。逆止弁１４４の低いクラッキング圧力は、圧力源１２０がＣＰＡＰデバイスの性質であることを可能にする。このようなデバイスは、潜在的に衰弱したローブ１８４にさえも損傷しないレベルでフロールーメン１６０内に空気流を駆動することができる一方で、依然としてフロールーメン１６０から逆流に対するシールを提供することができることが理解されるであろう。
【００２７】
フロールーメン１６０は、結合部１５２に接続されている。フロールーメン１６０が膨張ルーメン２６２（図２Ａ及び図２Ｂ）と一体であるとき、膨張デバイス１５０及び逆止弁１４４の出力は両方とも、結合部１５２においてフロールーメン１５０と結合されてもよい。
【００２８】
閉塞デバイス１１０によって閉塞されたローブ１８４及びフロールーメン１６０の試験を通して適用されるように調製された圧力は、圧力源１２０を作動させ、流量計１４０を使用して、フロールーメン１６０を通る流れを閉塞されたローブ１８４内へと測定することによって開始することができる。測定された流量は、図３〜図１１を参照して説明した測定装置１９０で監視されてもよい。図３〜図８は、システム１００が閉塞されたローブ１８４からの側副換気がないと判定する一実施例を示す。図９〜図１１は、システム１００が閉塞されたローブ１８４からの側副換気が存在することを検出する一実施例を示す。
【００２９】
図３を参照すると、初期状態のインターフェース画面３００において、ユーザには、様々なコマンドオプションの選択が提供される。様々な実施形態において、測定装置１９０は、マウス、キーボード、又は他の入力デバイスによって制御されるグラフィカルユーザインターフェースを有するコンピューティングシステムを含む。他の実施形態では、測定装置１９０は、タッチ画面を含む。いずれの場合も、インターフェース画面３００は、システムをオフにするための電力オプション３１０、試験中のローブを識別するための選択ローブボタン３１２、及び試験を開始するためのスタートボタン３１４を含むユーザ入力を提供する。インターフェース画面３００はまた、従属軸３２４上にプロットされた測定された流量をプロットした試験の時間を追跡するための独立軸３２２を含む流量ディスプレイ３２０を含む。インターフェース画面３００はまた、平均流量インジケータ３３０及び全空気量インジケータ３４０を含む。以下に記載されるように、試験が開始されると、流量ディスプレイ３２０、平均流量インジケータ３３０、及び全空気量インジケータ３４０は、これらの様々な測定値のためのデータを提示する。インターフェース画面３００はまた、報告されている測定値をより密接に検討するために、ユーザが流量ディスプレイ３２０の部分に焦点を合わせるか、又は拡大することを可能にするディスプレイ制御部３５０を含む。
【００３０】
更に図３を参照すると、ユーザは、選択ローブボタン３１２を利用して、ローブを識別し、閉塞デバイスがローブを分離して、それを側副換気用に試験するように位置付けられ得る。ユーザは、入力デバイスにより制御されるカーソル３１６を操作することによって、又はタッチ画面の場合には、選択ローブボタン３１２にタッチすることによって、選択ローブボタン３１２を利用することができる。
【００３１】
図４を参照すると、選択ローブボタン３１２（図３）を作動すると、ユーザは選択ローブ画面４００で提示される。選択ローブ画面４００から、ユーザは、試験中のローブに対応するローブボタン４０４にカーソル３１６を操作し、次いで、選択を確認するために入力又はＯＫボタン４０６を選択することによって、試験中のローブを識別することができる。あるいは、ユーザは、ローブマップ４０８から試験対象のローブを選択するためにカーソル３１６を操作することによって、試験中のローブを識別することができる。
【００３２】
図５を参照すると、「左下ローブ」が試験対象であると識別した後（図４）、ユーザは、試験を開始するためにインターフェース画面３００に戻される。試験を開始するために、ユーザは、カーソル３１６を指示して開始ボタン３１４を選択してもよい。試験がまだ開始されていないため、流量ディスプレイ３２０の平均流量インジケータ３３０又は全空気量インジケータ３４０のいずれも、任意の流量読み取り値を示すことが理解されるであろう。
【００３３】
図６を参照すると、試験は開始されている。流量ディスプレイ３２０は、患者の呼吸に対応する初期流量測定値を示す第１の曲線６６０を表示する。様々な実施形態では、流量を示す従属軸３２４のスケールは、第１の曲線に適合するように調整される。試験の開始及び圧力源１２０（図１）からの流量により、閉塞デバイスを越えて隔離されたローブ内の流量に対抗するための最小量の圧力で、閉塞されたローブがフロールーメン１６０（図１）から充填され始めると、流量は、最高レベルにあることが予想され得ると理解されるであろう（図１）。平均流量インジケータ３３０及び全空気量インジケータ３４０は、試験開始から得られる測定された流量を反映するために新たな値を提示する。試験開始時に、開始ボタン３１４（図３）は、試験を終了するために停止ボタン６１４を提示するようにトグルされている。
【００３４】
図７を参照すると、試験のおよそ１分後、流量ディスプレイ３２０は、流量対時間をプロットする第１の組の追加曲線７６２を提示する。第１の曲線６６０から第１の組の追加曲線７６２を通って、経時的に測定された流量が徐々に減少することが分かる。全空気量インジケータ３４０は、流れが試験中継続しているため、当然ながら立ち上がり全空気量を報告するが、平均流量インジケータ３３０は、平均流量が減少していることを示し、それによって、閉塞されたローブが圧力源１６０（図１）からの更なる空気の流れに抵抗することを示す。図８を参照すると、試験のほぼもう１分後、流量ディスプレイ３２０は、経時的な流れの更なる減少を示す、第２の組の追加曲線８６４を提示する。この傾向は、閉塞されたローブが空気の継続的な流れに抵抗し、それによって、閉塞されたローブから圧力漏れがないことを示す。全空気量インジケータ３４０が更に増分されて試験中の全空気量を報告する一方で、平均流量インジケータ３３０は、平均流量が更に減少したことを示し、それによって、閉塞されたローブが、圧力源１６０（図１）からの任意の追加の空気の流れに更に抵抗することを確認する。したがって、試験中の閉塞されたローブからの側副換気がないと判定することができる。試験の終了時に、ユーザは試験停止ボタン６１４を利用して、試験を終了することができる。
【００３５】
図９を参照すると、別のローブを試験するために、ユーザは、選択ローブ画面４００に再び進んでいる（図３を参照して説明したように、選択ローブボタン３１２を再び選択している）。選択ローブ画面４００から、ユーザは、対応するローブボタン９１７を選択し、次いで、選択を確認するために入力又はＯＫボタン４０６を選択することによって、試験対象のローブを識別する。
【００３６】
図１０を参照すると、僅か１分の試験後、流量ディスプレイ３２０は、流量対時間をプロットする追加の曲線１０６６及び１０６８を提示する。第１の組の曲線１０６６では、経時的に測定された流量は徐々に減少する。しかしながら、第２の組の曲線１０６８では、経時的に測定された流量は、もはや減少していない。平均流量インジケータ３３０も安定化して、継続的な安定した流れを示す。定常流は、試験中のローブからの正の側副換気を示す。図１１を参照すると、流量ディスプレイ上の選択された曲線１１７０をより密接に検討すると、ユーザは、流量ディスプレイ１１２０の拡大部分を示すようにディスプレイ制御部３５０を利用して、流量が減少していないことを確認することができる。
【００３７】
図１２を参照すると、測定装置１９０の例示的な実施形態は、流量計１４０（図１２に図示せず）と結合可能であり、フロールーメン１６０（図１２には図示せず）を通る正圧流を監視して、閉塞されたローブ１８２（図１２に図示せず）から側副換気が発生しているかどうかを判定する。測定装置１９０は、流量計入力１２１０、処理ロジック１２２０及びディスプレイ１２３０を含む。流量計入力１２１０は、流量計１４０の出力を受信する。図１Ａを参照して前述したように、様々な実施形態では、流量計１４０は、測定装置１９０による圧力流の電子監視を可能にするための電子出力を有する電子質量流量計を含む。流量計入力１２１０は、流量計１４０の出力を受信するように構成されたアナログ又はデジタル信号ラインを含んでもよい。流量計入力１２１０は、流量計１４０の出力を受信するための結合部を含んでもよく、又は流量計入力１２１は、流量計１４０の出力に有線配線されてもよい。
【００３８】
処理ロジック１２２０は、電子回路又は同等のシステムを含み、これは、流量計入力１２１０に動作可能に結合されて、流量計１４０及びディスプレイ１２３０からデータを受信し、試験中のローブ内に側副換気が存在するかどうかを示すデータをユーザに表示する。処理ロジック１２２０は、図１３を参照して更に説明されるようなコンピューティングシステムを含んでもよい。処理ロジック１２２０は、流量計入力１２１０及びディスプレイ１２３０と動作可能に結合される。処理ロジック１２２０は、流量計入力１２１０を介して流量計１４０から受信したデータを監視し、データを処理し、表示可能な信号をディスプレイ１２３０に生成するように構成された回路を含む。様々な実施形態では、ディスプレイ１２３０は、電子信号を受信し、その信号をユーザによって閲覧可能なグラフィック表現に変換するデバイスを含む。図３〜図１１を参照して説明したように、ユーザは、ディスプレイ１２３０を使用して、試験中の肺の閉塞されたローブ内への正圧流が側副換気の存在を示すかどうかを監視することができる。
【００３９】
図１３を参照すると、処理ロジック１２２０（図１２）は、コンピューティングシステム１３００を含み得る。コンピューティングシステム１３００は、多数の形態の静止又は携帯型コンピューティングデバイスのいずれかを含んでもよい。コンピューティングシステム１３００は、典型的には、少なくとも１つの処理ユニット１３２０及びシステムメモリ１３３０を含む。コンピューティングデバイスの正確な構成及び種類に応じて、システムメモリ１３３０は、揮発性（ＲＡＭなど）、不揮発性（ＲＯＭ、フラッシュメモリなど）、又は２つのいくつかの組み合わせであってもよい。システムメモリ１３３０は、典型的には、オペレーティングシステム１３３２、１つ以上のアプリケーション１３３４及びプログラムデータ１３３６を維持する。オペレーティングシステム１３３２は、Ｌｉｎｕｘ(登録商標)、Ｍｉｃｒｏｓｏｆｔ  Ｗｉｎｄｏｗｓ、Ａｐｐｌｅ  ＯＳ、又はＡｎｄｒｏｉｄを含むがこれらに限定されない、デスクトップ又はボータブルデバイス上で実行可能な任意の数のオペレーティングシステムを含んでもよい。図３〜図１１を参照して前述したように、１つ以上のアプリケーション１３３４は、流量計データを受信及び処理して表示可能な情報を生成するための命令を含む。
【００４０】
コンピューティングシステム１３００はまた、追加の特徴又は機能を有してもよい。例えば、コンピューティングシステム１３００は、例えば、磁気ディスク、光ディスク、テープ、又はフラッシュメモリなどの追加のデータ記憶デバイス（取り外し可能及び／又は取り外し不可能）を含んでもよい。このような追加の記憶装置は、取り外し可能な記憶装置１３４０及び取り外し不可能な記憶装置１３５０によって図１３に示されている。コンピュータ記憶媒体は、コンピュータ可読命令、データ構造、プログラムモジュール、又は他のデータなどの情報を記憶するための任意の方法又は技術で実施される、揮発性及び不揮発性、取り外し可能及び取り外し不可能な媒体を含んでもよい。システムメモリ１３３０は取り外し可能な記憶装置１３４０及び取り外し不可能な記憶装置１３５０は、全てコンピュータ記憶媒体の例である。利用可能な種類のコンピュータ記憶媒体としては、ＲＡＭ、ＲＯＭ、ＥＥＰＲＯＭ、フラッシュメモリ（取り外し可能及び取り外し不可能な形態の両方で）又は他のメモリ技術、ＣＤ−ＲＯＭ、デジタル多用途ディスク（digital versatile disk、ＤＶＤ）、又は他の光学記憶装置、磁気カセット、磁気テープ、磁気ディスク記憶装置若しくは他の磁気記憶装置、あるいは所望の情報を記憶するために使用することができ、コンピューティングシステム１３３０によってアクセスすることができる任意の他の媒体である。任意のそのようなコンピュータ記憶媒体は、コンピューティングシステム１３３０の一部であってもよい。
【００４１】
様々な実施形態では、コンピューティングシステム１３３０はまた、キーボード、マウス、ペン、音声入力デバイス、タッチ画面入力デバイスなどの入力デバイス（複数可）１３６０を有してもよい。ディスプレイ、スピーカ、プリンタ、Ｂｌｕｅｔｏｏｔｈ送受信装置などの短距離送受信機などの出力デバイス（複数可）１３７０も含まれてもよい。様々な実施形態では、コンピューティングシステム１３３０は、出力デバイス１３７０及び入力デバイス１３６０の属性を統合するタッチ感知ディスプレイを含み得、これは、ユーザがディスプレイを介して提示される情報及びユーザ選択可能な制御部と対話することを可能にする。したがって、測定装置１９０のディスプレイ１２３０は、測定装置１９０の動作を制御し、測定装置１９０によって提示される情報を確認することを可能にするタッチ感知ディスプレイを含んでもよい。
【００４２】
コンピューティングシステム１３００はまた、有線若しくは無線ネットワーク又はＢｌｕｅｔｏｏｔｈ（Ｂｌｕｅｔｏｏｔｈ送受信装置は、入出力デバイス及び通信接続とみなされ得る）を介して、コンピューティングシステム１３００が他のコンピューティングシステム１３９０と通信することを可能にする１つ以上の通信接続１３８０を含んでもよい。１つ以上の通信接続１３８０は、通信媒体の一実施例である。通信媒体の利用可能な形態は、典型的には、搬送波又は他の輸送機構などの、変調データ信号内のコンピュータ可読命令、データ構造、プログラムモジュール又は他のデータを搬送し、任意の情報配信媒体を含む。用語「変調データ信号」は、信号内の情報を符号化するように設定又は変更されたその特性のうちの１つ以上を有する信号を含んでもよい。例として、限定するものではないが、通信媒体は、有線ネットワーク又は直接有線接続などの有線媒体、並びに音響、ＲＦ、赤外線、及び他の無線媒体などの無線媒体を挙げることができる。本明細書で使用するとき、用語「コンピュータ可読媒体」は、記憶媒体及び通信媒体の両方を含む。
【００４３】
図１４を参照すると、様々な実施形態では、側副換気用の試験の例示的な方法１４００が提供される。方法１４００は、ブロック１４０５で開始する。ブロック１４１０において、図１Ａ〜図２を参照して前述したように、気管支通路が閉塞されて、肺のローブを閉塞する。ブロック１４２０において、図１Ａ及び図１Ｂを参照して前述したように、閉塞された気管支通路の下流の閉塞されたローブ内に、正圧流が閉塞されたローブを膨らませるのを防ぐように構成された連続正気道圧力源から空気の正圧流が導入される。ブロック１４３０において、図３〜図１１を参照して前述したように、空気の正圧流を監視して、閉塞されたローブからの側副換気の欠如及び隔離されたローブからの側副換気の存在から選択される少なくとも１つの特性を検出する。方法１４００は、ブロック１４３５で終了する。
【００４４】
様々な実施形態において、図１５を参照すると、例示的な方法１５００は、肺のローブ内への正圧流の可視表現を生成して、可能性のある側副換気を評価するために提供される。方法１２００は、ブロック１５０５で開始する。ブロック１５１０では、図１Ａ及び図１Ｂを参照して前述したように、測定値は、肺の選択的に閉塞されたローブ内への正圧流を監視するように位置付けられた電子流量計から受信される。ブロック１５２０において、図３〜図１３を参照して前述したように、経時的な正圧流の測定値が処理されて、経時的な正圧流のデジタル表現が生成される。ブロック１５３０において、図３〜図１３を参照して前述したように、経時的な正圧流の測定値の可視表現が生成され、そこから、ユーザは、ローブからの側副換気の存在を示す正圧流の変化を識別することができる。前述のように、経時的に減少し続ける測定可能な流れの検出は、ローブからの側副換気の欠如を示し、一方で、経時的に安定する測定可能な流れの検出は、側副換気の存在を示し得る。方法１５００は、ブロック１５３５で終了する。
【００４５】
上に示した発明を実施するための形態は、本質的に単に例示的なものであり、請求項に係る主題の主旨及び／又は趣旨から逸脱しない変形が、請求項の範囲内にあることが意図されることが理解されよう。このような変形は、請求項に係る主題の趣旨及び範囲から逸脱するものとしてみなされない。
【符号の説明】
【００４６】
１００  システム
１１０  閉塞デバイス
１２０  圧力源
１４０  流量計
１４４  逆止弁
１６０  フロールーメン
１６４  遠位端
１６６  近位端
１８０  肺
１８２  ローブ
１８４  気管支通路
１９０  測定装置
【図１Ａ】
2020189090.tif 000003
【図１Ｂ】
2020189090.tif 000004
【図２Ａ】
2020189090.tif 000005
【図２Ｂ】
2020189090.tif 000006
【図３】
2020189090.tif 000007
【図４】
2020189090.tif 000008
【図５】
2020189090.tif 000009
【図６】
2020189090.tif 000010
【図７】
2020189090.tif 000011
【図８】
2020189090.tif 000012
【図９】
2020189090.tif 000013
【図１０】
2020189090.tif 000014
【図１１】
2020189090.tif 000015
【図１２】
2020189090.tif 000016
【図１３】
2020189090.tif 000017
【図１４】
2020189090.tif 000018
【図１５】
2020189090.tif 000019